(57)【特許請求の範囲】
【請求項１】
被検体の体温を測定する電子体温計であって、
前記電子体温計上に配列された複数の発光素子を備える発光手段と、
前記電子体温計が振られたことを検出する振れ検出手段と、
前記振れ検出手段により前記電子体温計が振られたことを検出した場合に、ユーザが、該電子体温計の長手方向の各端部のうち、いずれの端部を保持しているかを判断する判断手段と、
前記発光手段が備える前記複数の発光素子の発光を制御する発光制御手段と、を備え、
前記発光制御手段は、
測定された前記被検体の体温に関する情報に基づいて、前記発光手段により発光される発光ドットパターンを、前記判断手段による判断結果に対応した向きで生成する生成手段と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出手段と、を備え、
前記振れ検出手段により前記電子体温計が振られたことを検出した場合に、前記生成した発光ドットパターンと、前記算出した１ドット列当たりの発光時間とに基づいて、前記複数の発光素子の発光を制御することを特徴とする電子体温計。
【請求項２】
被検体の体温を測定する電子体温計であって、
前記電子体温計上に配列された複数の発光素子を備える発光手段と、
前記電子体温計が振られたことを検出するとともに、振れ速度がゼロとなった位置を基準位置として、該基準位置からの距離を算出する振れ検出手段と、
前記振れ検出手段により前記電子体温計が振られたことを検出した場合に、ユーザが、該電子体温計の長手方向の各端部のうち、いずれの端部を保持しているかを判断する判断手段と、
前記発光手段が備える前記複数の発光素子の発光を制御する発光制御手段と、を備え、
前記発光制御手段は、
測定された前記被検体の体温に関する情報を表現するために、前記電子体温計の振れ方向における前記発光素子のドット列によって構成された発光ドットパターンであって、前記振れ検出手段による検出結果に基づいて算出した前記電子体温計の振れ幅に基づいて、該ドット列の前記基準位置からの距離が規定されており、かつ前記判断手段による判断結果に対応した向きにより構成された発光ドットパターンを生成する生成手段と、を備え、
前記振れ検出手段により算出された前記基準位置からの距離が、前記発光ドットパターンを構成する各ドット列について規定された前記基準位置からの距離に一致した場合に、前記複数の発光素子が、対応するドット列に従って発光するように制御することを特徴とする電子体温計。
【請求項３】
前記振れ検出手段は、前記電子体温計の各端部のうちのいずれかの端部に配された第１の加速度センサであり、
前記判断手段は、
前記第１の加速度センサより出力された信号と、該第１の加速度センサが配された端部と反対側の端部に配された第２の加速度センサより出力された信号とを処理する処理部を備え、
前記処理部は、前記各端部に配された第１及び第２の加速度センサよりそれぞれ出力された信号の振幅を比較し、振幅が大きい信号を出力した加速度センサが配された端部と反対側の端部を、前記ユーザが保持していると判断することを特徴とする請求項１または２に記載の電子体温計。
【請求項４】
前記判断手段は、
前記電子体温計の各端部に配された静電容量センサの出力を処理する処理部を備え、
前記処理部は、前記各端部に配された静電容量センサのうち、ＯＮ信号が出力された静電容量センサが配された端部を、前記ユーザが保持していると判断することを特徴とする請求項１または２に記載の電子体温計。
【請求項５】
被検体の体温を測定する電子体温計であって、
前記電子体温計上に配列された複数の発光素子を備える発光手段と、
前記電子体温計が振られたことを検出する振れ検出手段と、
前記電子体温計の長手方向の上下を検知する検知手段と、
前記発光手段が備える前記複数の発光素子の発光を制御する発光制御手段と、を備え、
前記発光制御手段は、
測定された前記被検体の体温に関する情報に基づいて、前記発光手段により発光される発光ドットパターンを、前記検知手段により検知された上下に対応した向きで生成する生成手段と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出手段と、を備え、
前記振れ検出手段により前記電子体温計が振られたことを検出した場合に、前記生成した発光ドットパターンと、前記算出した１ドット列当たりの発光時間とに基づいて、前記複数の発光素子の発光を制御することを特徴とする電子体温計。
【請求項６】
被検体の体温を測定する電子体温計であって、
前記電子体温計上に配列された複数の発光素子を備える発光手段と、
前記電子体温計が振られたことを検出するとともに、振れ速度がゼロとなった位置を基準位置として、該基準位置からの距離を算出する振れ検出手段と、
前記電子体温計の長手方向の上下を検知する検知手段と、
前記発光手段が備える前記複数の発光素子の発光を制御する発光制御手段と、を備え、
前記発光制御手段は、
測定された前記被検体の体温に関する情報を表現するために、前記電子体温計の振れ方向における前記発光素子のドット列によって構成された発光ドットパターンであって、前記振れ検出手段による検出結果に基づいて算出した前記電子体温計の振れ幅に基づいて、該ドット列の前記基準位置からの距離が規定されており、かつ前記検知手段により検知された上下に対応した向きにより構成された発光ドットパターンを生成する生成手段と、を備え、
前記振れ検出手段により算出された前記基準位置からの距離が、前記発光ドットパターンを構成する各ドット列について規定された前記基準位置からの距離に一致した場合に、前記複数の発光素子が、対応するドット列に従って発光するように制御することを特徴とする電子体温計。
【請求項７】
被検体の体温を測定する電子体温計上に配列された複数の発光素子を備える発光手段と、前記電子体温計が振られたことを検出する振れ検出手段と、前記振れ検出手段により前記電子体温計が振られたことを検出した場合に、ユーザが、該電子体温計の長手方向の各端部のうち、いずれの端部を保持しているかを判断する判断手段と、前記発光手段が備える前記複数の発光素子の発光を制御する発光制御手段と、を備える電子体温計における表示制御方法であって、
測定された前記被検体の体温に関する情報に基づいて、前記発光手段により発光される発光ドットパターンを、前記判断手段による判断結果に対応した向きで生成する生成工程と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出工程と、を備え、
前記振れ検出手段により前記電子体温計が振られたことを検出した場合に、前記生成した発光ドットパターンと、前記算出した１ドット列当たりの発光時間とに基づいて、前記複数の発光素子の発光を制御することを特徴とする電子体温計の表示制御方法。
【請求項８】
被検体の体温を測定する電子体温計上に配列された複数の発光素子を備える発光手段と、前記電子体温計が振られたことを検出する振れ検出手段と、前記電子体温計の長手方向の上下を検知する検知手段と、前記発光手段が備える前記複数の発光素子の発光を制御する発光制御手段と、を備える電子体温計の表示制御方法であって、
測定された前記被検体の体温に関する情報に基づいて、前記発光手段により発光される発光ドットパターンを、前記検知手段により検知された上下に対応した向きで生成する生成工程と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出工程と、を備え、
前記振れ検出手段により前記電子体温計が振られたことを検出した場合に、前記生成した発光ドットパターンと、前記算出した１ドット列当たりの発光時間とに基づいて、前記複数の発光素子の発光を制御することを特徴とする電子体温計の表示制御方法。
【請求項９】
請求項７または８に記載の表示制御方法をコンピュータによって実行させるためのプログラムを格納したコンピュータ読取可能な記憶媒体。
【発明の詳細な説明】
【技術分野】
【０００１】
本発明は、被検体の体温を測定する電子体温計に関するものである。
【背景技術】
【０００２】
従来より、電子体温計にはＬＣＤ等の表示部が設けられており、測定された被検体の体温等の情報をユーザに表示することができるように構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも見やすい表示となっていない。特に、周辺環境が暗い場合にあっては、表示された情報を読み取ることが困難な状況となっている。
【０００５】
一方で、寸法を大きくしたり、ＬＣＤのバックライトを明るくしたりすることで、ユーザにとってより見やすい表示部を実現することは可能であるが、この場合、電子体温計の外形が大きくなったり、消費電力が増大し電池交換が頻繁に必要になるなど、ユーザの利便性が損なわれる結果となる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る電子体温計は以下のような構成を備える。即ち、
被検体の体温を測定する電子体温計であって、
前記電子体温計上に配列された複数の発光素子を備える発光手段と、
前記電子体温計が振られたことを検出する振れ検出手段と、
前記振れ検出手段により前記電子体温計が振られたことを検出した場合に、ユーザが、該電子体温計の長手方向の各端部のうち、いずれの端部を保持しているかを判断する判断手段と、
前記発光手段が備える前記複数の発光素子の発光を制御する発光制御手段と、を備え、
前記発光制御手段は、
測定された前記被検体の体温に関する情報に基づいて、前記発光手段により発光される発光ドットパターンを、前記判断手段による判断結果に対応した向きで生成する生成手段と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出手段と、を備え、
前記振れ検出手段により前記電子体温計が振られたことを検出した場合に、前記生成した発光ドットパターンと、前記算出した１ドット列当たりの発光時間とに基づいて、前記複数の発光素子の発光を制御することを特徴とする電子体温計。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計の外観構成の一例を示す図である。
【図２】電子体温計のシステム構成を示す図である。
【図３】先端側を保持したまま電子体温計を長手方向と略直交する方向に、電子体温計の姿勢を維持した状態で往復で振った場合に、発光部の発光によってユーザが視認する表示内容の一例を示した図である。
【図４】信号処理部における信号処理の内容を説明するための図である。
【図５】表示制御部において生成された発光ドットパターンの一例を示す図である。
【図６Ａ】表示制御部による発光部の発光制御処理の内容を説明するための図である。
【図６Ｂ】表示制御部による発光部の発光制御処理の内容を説明するための図である。
【図７】電子体温計の体温測定処理の流れを示すフローチャートである。
【図８】電子体温計の可視化処理の流れを示すフローチャートである。
【図９】本発明の第２の実施形態に係る電子体温計の外観構成の一例を示す図である。
【図１０Ａ】電子体温計のシステム構成を示す図である。
【図１０Ｂ】信号処理部における信号処理の内容を説明するための図である。
【図１１】電子体温計の可視化処理の流れを示すフローチャートである。
【図１２】本発明の第３の実施形態に係る電子体温計のシステム構成を示す図である。
【図１３】電子体温計の可視化処理の流れを示すフローチャートである。
【図１４】本発明の第４の実施形態に係る電子体温計のシステム構成を示す図である。
【図１５】電子体温計の可視化処理の流れを示すフローチャートである。
【図１６】信号処理部における信号処理の内容を説明するための図である。
【図１７】表示制御部において生成された発光ドットパターンの一例を示す図である。
【図１８】電子体温計の可視化処理の流れを示すフローチャートである。
【発明を実施するための形態】
【００１０】
以下、本発明の各実施形態について図面を参照しながら説明する。
【００１１】
［第１の実施形態］
１．電子体温計の外観構成
図１は、本発明の第１の実施形態に係る電子体温計１００の外観構成の一例を示す図である。
【００１２】
図１において、１０１は、被検体の体温に関する情報を表示する表示部であり、例えば、ＬＣＤ等により構成されている。
【００１３】
１０２は発光部であり、ＬＥＤ等の発光素子が電子体温計上の長手方向に一列に配列されている。なお、図１の例では、発光部１０２としてＬＥＤが７個配列された場合について図示しているが、発光部１０２に含まれるＬＥＤの数は７個に限られない。また、図１の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検体の体温が伝導しやすいように、ステンレスなどの金属により構成されている。
【００１５】
１０４はＯＮ／ＯＦＦスイッチであり、体温の測定を開始する際、又は体温の測定が終了した際に押すことで、電子体温計１００の電源のＯＮ／ＯＦＦが制御される。
【００１６】
１０５、１０６は電子体温計１００の長手方向と略直交する方向（以下、横方向と称す）における、電子体温計１００の加速度を検出する加速度センサである。このうち、加速度センサ１０５は、電子体温計１００のＯＮ／ＯＦＦスイッチ側（後端側）に内蔵され（後端側加速度センサと称す）、加速度センサ１０６は、後端側加速度センサ１０５とは反対側の端部（電子体温計１００のエンドキャップ１０３側（先端側））に内蔵されており（先端側加速度センサと称す）、それぞれの位置において電子体温計１００の横方向の加速度を検出する。
【００１７】
２．電子体温計のシステム構成
次に、電子体温計のシステム構成について図２を参照しながら説明する。
【００１８】
図２は、本発明の第１の実施形態に係る電子体温計１００のシステム構成を示す図である。
【００１９】
電子体温計１００のシステムは、電源部２１０と温度計測部２２０と振れ検出部２３０と演算制御部２４０と、出力部２５０と、ブザー２６０とに大別することができる。
【００２０】
電源部２１０は、従来の使い捨て式又は充電式の電池を内蔵しており、電子体温計１００の各部に電源を供給する。
【００２１】
温度計測部２２０は、サーミスタ、コンデンサ、測温用ＣＲ発振回路等から構成されており、サーミスタにより検出された温度を発振信号として出力する。出力された発振信号はカウンタ２４５においてカウントされることで、デジタル量として出力される。なお、温度計測部２２０の構成は一例であって、これに限定されるものではない。
【００２２】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５及び表示制御部２４４を制御する制御回路２４７を備える。
【００２３】
ブザー２６０は、演算処理部２４６において体温測定処理が終了したことを、鳴動によりユーザに知らせる。
【００２４】
振れ検出部２３０は、後端側加速度センサ２３１（図１の１０５に対応する）及び先端側加速度センサ２３２（図１の１０６に対応する）と、信号処理部２３３とを備える。
【００２５】
信号処理部２３３は、後端側加速度センサ２３１及び先端側加速度センサ２３２がそれぞれ検出した電子体温計１００の横方向の振れにおける加速度の信号を受信する。そして、後端側加速度センサ２３１より出力された信号の振幅と先端側加速度センサ２３２より出力された信号の振幅とを比較する。
【００２６】
ここで、後端側加速度センサ２３１より出力された信号の振幅の方が大きい場合には、ユーザは、電子体温計１００の先端側を保持しながら、電子体温計１００を横方向に振っていると判断することができる。この場合、信号処理部２３３では、後端側加速度センサ２３１より出力された信号に基づいて、発光部２５２の発光開始／発光完了のタイミングや各発光素子２５２Ａの１ドット列当たりの発光時間を規定するための信号（振れ方向の変更タイミングを示す信号（詳細は後述））を算出し、表示制御部２４４に出力する。また、あわせて、後端側加速度センサ２３１に基づく出力である旨の情報を表示制御部２４４に出力する。
【００２７】
一方、先端側加速度センサ２３２より出力された信号の振幅の方が大きい場合には、ユーザは、電子体温計１００の後端側を保持しながら、電子体温計１００を横方向に振っていると判断することができる。この場合、信号処理部２３３では、先端側加速度センサ２３２より出力された信号に基づいて、発光部２５２の発光開始／発光完了のタイミングや各発光素子２５２Ａの１ドット列当たりの発光時間を規定するための信号（振れ方向の変更タイミングを示す信号（詳細は後述））を算出し、表示制御部２４４に出力する。また、あわせて、先端側加速度センサ２３２に基づく出力である旨の情報を表示制御部２４４に出力する。
【００２８】
出力部２５０は、従来の表示方法（ＬＣＤ等）で体温に関する情報を表示する表示部２５１と、ユーザの目の残像効果を利用して体温に関する情報を可視化する発光部２５２とを備える。
【００２９】
表示部２５１（図１の表示部１０１に対応する）は、ＬＣＤ等により構成され、表示制御部２４４から受信した被検体の体温に関する情報（測定結果）を表示する。
【００３０】
発光部２５２（図１の発光部１０２に対応する）は、電子体温計１００が往復で振られた際に、被検体の体温に関する情報がユーザによって視認されるように、表示制御部２４４によって生成された発光ドットパターンと、該表示制御部２４４によって算出された１ドット列当たりの発光時間と、信号処理部２３３より受信した振れ方向の変更タイミングを示す信号とに基づいて、発光する（詳細は後述）。
【００３１】
なお、発光部２５２の各発光素子２５２Ａが発光している状態で、ユーザが電子体温計１００を振ると、ユーザは、目の残像効果の影響により、被検体の体温に関する情報を空間上において視認することができる。
【００３２】
表示制御部２４４は、所定のプログラムが格納されたコンピュータ読取可能な記憶媒体と該プログラムを実行する処理部（コンピュータ）とを備え、表示部２５１の表示を制御する表示制御機能と、発光部２５２の各発光素子２５２Ａの発光を制御する発光制御機能とを実現する。
【００３３】
なお、本実施形態に係る電子体温計１００のように発光部１０２を備える構成の場合、必ずしも表示部２５１を設ける必要はなく、表示部２５１は省略されても良い。このように、表示部２５１を省略することで、電子体温計１００は、表示部を配するための幅又は大きさを維持する必要が無くなり、外形寸法を更に小さくすることができるからである。
【００３４】
３．発光部の発光により視認される表示内容
次に、電子体温計１００の発光部２５２の各発光素子２５２Ａの発光により視認される表示内容について、図面を参照しながら説明する。
【００３５】
図３は電子体温計１００の先端側を保持しながら横方向に、電子体温計１００の姿勢を維持した状態のまま振った場合に、発光部２５２の各発光素子２５２Ａの発光によってユーザに視認される表示内容の一例を示した図である。
【００３６】
発光部２５２では、電子体温計１００が横方向に往復で振られているうちの、所定方向の振れ（ここでは、紙面左側から右側への振れ、以下、右振れと称す）の間、被検体の体温に関する情報に対応する発光ドットパターンと、１ドット列当たりの発光時間とに基づいて、各発光素子２５２Ａが発光する。これにより、その発光を見たユーザは、目の残像効果の影響により、空間上において被検体の体温に関する情報を視認することができる。
【００３７】
なお、図３の例は、電子体温計１００を横方向に往復で振ることで、振れ範囲内の空間上に、“３８．５℃”という表示が浮かび上がって見える様子を示したものである。
【００３８】
図３に示すように、電子体温計１００の発光部２５２を構成する各発光素子２５２Ａは、電子体温計１００の右振れが完了するまでの間に、それぞれ対応する発光タイミングにおいて発光する。なお、本実施形態では紙面右側から左側への振れ（以下、左振れと称す）の間は、各発光素子２５２Ａの発光は行われないものとする。
【００３９】
このように、各発光素子２５２Ａは、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部２３３及び表示制御部２４４における処理の詳細について説明する。
【００４０】
４．信号処理部における信号処理
はじめに、信号処理部２３３における信号処理の内容について図４を用いて説明する。上述したように、信号処理部２３３では、後端側加速度センサ２３１または先端側加速度センサ２３２からの出力に基づいて、発光部２５２の発光開始／発光完了のタイミングや各発光素子の１ドット列当たりの発光時間を規定するための信号（振れ方向の変更タイミングを示す信号）と、後端側加速度センサ２３１に基づく出力である旨の情報（または先端側加速度センサ２３２に基づく出力である旨の情報）を出力する。
【００４１】
図４は、信号処理部２３３における当該信号処理の内容を説明するための図である。図４の（Ａ−１）、（Ａ−２）は、ユーザによって電子体温計１００が往復で振られた際の後端側加速度センサ２３１及び先端側加速度センサ２３２の出力を示した図である。
【００４２】
電子体温計１００では、横方向の往復の振れのうち、右振れの間、発光部２５２の各発光素子の発光を制御する。これに対応するため、信号処理部２３３では、後端側加速度センサ２３１または先端側加速度センサ２３２のいずれかの出力に基づいて左振れしていた電子体温計１００の振れ方向が右振れに変更されたタイミング（振れ方向の変更タイミング）を検出する。
【００４３】
ここで、図４の（Ａ−１）、（Ａ−２）に示すように、電子体温計１００の往復の振れに応じて、後端側加速度センサ２３１及び先端側加速度センサ２３２ではそれぞれ正弦波状の信号を出力する。
【００４４】
そこで、信号処理部２３３では、まず、後端側加速度センサ２３１から出力される正弦波状の信号の振幅と先端側加速度センサ２３２から出力される正弦波状の信号の振幅とを比較する。図４の例では、後端側加速度センサ２３１から出力される正弦波状の信号の振幅の方が大きい。この場合、ユーザは電子体温計１００の先端側を保持しながら横方向に振っていると判断することができる（なお、当該判断結果（比較結果）は、後述する表示制御部２４４において、発光ドットパターンに含まれる文字列の上下方向の向きを規定する際に用いられる）。
【００４５】
そこで、信号処理部２３３では、後端側加速度センサ２３１より出力された当該信号を微分処理し、微分処理の結果がゼロになるタイミング（つまり、加速度センサより出力された信号の傾きがゼロになるタイミング）を検出する。
【００４６】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００４７】
このうち、信号処理部２３３では、左振れしていた電子体温計１００の振れ方向が、右振れに変更されたタイミングのみを抽出して、表示制御部２４４に出力する（図４の（Ｂ）参照）。
【００４８】
なお、先端側加速度センサ２３２から出力される正弦波状の信号の振幅の方が、後端側加速度センサ２３１から出力される正弦波状の信号の振幅よりも大きく、ユーザが、電子体温計１００の後端側を保持しながら、横方向に振っていると判断される場合には、電子体温計１００における右振れの定義が逆になる。
【００４９】
このため、先端側加速度センサ２３２より出力された信号に基づいて抽出された、右振れに変更されたタイミングは、後端側加速度センサ２３１より出力された信号に基づいて抽出された、右振れに変更されたタイミング（図４の（Ｂ））と、位相が１８０°ずれることとなる。
【００５０】
また、図４においては不図示であるが、信号処理部２３３では、上述の判断結果（比較結果）として、当該振れ方向の変更タイミングを示す信号が、後端側加速度センサ２３１に基づく出力である旨の情報（あるいは先端側加速度センサ２３２に基づく出力である旨の情報）を、あわせて表示制御部２４４に出力する。
【００５１】
５．表示制御部において生成される発光ドットパターン
次に、表示制御部２４４において生成される発光ドットパターンについて説明する。図５は、表示制御部２４４において生成される発光ドットパターンの一例を示す図である。  図５に示すように、発光ドットパターンは、発光部２５２の各発光素子２５２Ａにより可視化される仮想的な表示領域における表示であり、縦に配列された発光素子２５２Ａの数と、所定方向に振られている間（本実施形態では右振れの間）の発光素子の発光回数であるドット列数とにより規定される。
【００５２】
また、発光ドットパターンに含まれる文字列の上下方向の向きは、信号処理部２３３より出力された情報（後端側加速度センサ２３１に基づく出力である旨の情報または先端側加速度センサ２３２に基づく出力である旨の情報）に基づいて規定される。具体的には、後端側加速度センサ２３１に基づく出力である旨の情報を受信した場合には、ユーザが、電子体温計１００の先端側を保持しながら、横方向に振っていると判断できるため、電子体温計１００の先端側を下として、文字列の上下方向を規定する。反対に、先端側加速度センサ２３２に基づく出力である旨の情報を受信した場合には、ユーザが、電子体温計１００の後端側を保持しながら、横方向に振っていると判断できるため、電子体温計１００の後端側を下として、文字列の上下方向を規定する。
【００５３】
図５において、黒い丸及び白い丸は、電子体温計１００が横方向の振れに伴って移動した場合の、各発光タイミングにおける発光素子の位置を示している。本実施形態では、１文字（ただし、「小数点」は除く）を表現するのに、横方向５ドットと縦方向７ドット（７つの発光素子）とを用いるものとする。また、横方向の文字と文字の間には、２ドット列数分の発光素子の空白が設けられているものとする。
【００５４】
このため、図５に示すように、被検体の体温に関する情報として、例えば“３８．５℃”の５文字（“３”、“８”、“．”、“５”及び“℃”）を可視化するためには、
（１文字あたりの横方向ドット列数（＝５ドット））×４文字
＋（「小数点」の横方向ドット列数（＝１ドット））×１文字
＋（空白列のドット列数（＝２ドット））×（５文字＋１）
＝３３ドット列数が必要となる。
【００５５】
つまり、電子体温計１００の右振れが開始されてから完了するまでの間に、各発光素子は３３ドット列数からなる発光ドットパターンを出力することになる。このため、１ドット列数分の発光時間（つまり、各発光素子の１ドット列当たりの発光時間ｔ）は、電子体温計１００の右振れが開始されてから完了するまでにかかる振れ時間をＴとした場合、Ｔ／３３となる。
【００５６】
ここで、電子体温計１００の右振れが開始されてから完了するまでにかかる振れ時間Ｔは、後端側加速度センサ２３１（または先端側加速度センサ２３２）の出力に基づいて信号処理部２３３が検出した検出結果（振れ方向の変更タイミング）に基づいて算出することができる。
【００５７】
具体的には、信号処理部２３３から出力されたＯＮ信号とＯＮ信号との間隔の１／２を算出することにより求めることができる。
【００５８】
なお、後端側加速度センサ２３１（先端側加速度センサ２３２）の出力に基づいて、信号処理部２３３が、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとをそれぞれ算出し、表示制御部２４４がそれらの出力間隔に基づいて算出するように構成してもよい。
【００５９】
このように、表示制御部２４４では、被検体の体温に関する情報を可視化するために以下のように動作する。
・発光部２５２において可視化すべき可視化情報（被検体の体温に関する情報）を受信し、これを表現するための発光ドットパターンを生成する。このとき、発光ドットパターンに含まれる文字列の上下方向は、信号処理部２３３より出力された情報（後端側加速度センサ２３１に基づく出力である旨の情報または先端側加速度センサ２３２に基づく出力である旨の情報）に基づいて規定する。
・信号処理部２３３からの信号の出力間隔に基づいて算出された振れ時間Ｔと、可視化情報を表現するのに必要な横方向の発光素子のドット列数とに基づいて、次回の右振れ時における１ドット列当たりの発光時間ｔを算出する。
・信号処理部２３３からの信号（振れ方向の変更タイミング）の出力を発光開始タイミングとして、各発光素子を、生成された発光ドットパターンと、算出された１ドット列あたりの発光時間ｔとに基づいて発光させる。
【００６０】
６．発光開始から発光完了までの発光制御処理の内容
次に、発光開始から発光完了までの表示制御部２４４における発光制御処理の内容について説明する。
【００６１】
図６Ａは、表示制御部２４４における、発光開始から発光完了までの発光制御処理の内容を説明するための図である。図６Ａにおいて、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光が完了した状態を示している。
【００６２】
同様に、図６Ｂは、表示制御部２４４における、発光開始から発光完了までの発光制御処理の内容を説明するための図である。図６Ａとの違いは、図６Ａはユーザが電子体温計１００の先端側を保持して横方向に振っているのに対して、図６Ｂでは、ユーザが電子体温計１００の後端側を保持して横方向に振っている点である。
【００６３】
この結果、図６Ａの場合には、電子体温計１００の後端側を上、先端側を下として、可視化情報が表示されるのに対して、図６Ｂの場合には、電子体温計１００の先端側を上、後端側を下として、可視化情報が表示される。つまり、本実施形態に係る電子体温計１００では、横方向に振る際にユーザが保持する端部の位置（先端側か、後端側か）に応じて、可視化情報の上下の向きが反転する。
【００６４】
このように、各発光素子２５２Ａは、信号処理部２３３から出力された信号（振れ方向の変更タイミングを示す信号）の出力を発光開始タイミングとして、それぞれのタイミングで、ユーザが保持する端部の位置に応じた発光ドットパターンに基づき、算出された１ドット列当たりの発光時間分だけ、発光するよう制御される。これにより、電子体温計１００では右振れが完了するまでの間に、“３８．５℃”なる文字を適切な向きで（ユーザが保持している端部を文字列の下側として）可視化することができる。
【００６５】
７．電子体温計の体温測定手順
続いて、図７を用いて電子体温計１００における体温測定処理の流れを説明する。図７は電子体温計１００の体温測定処理の流れを示すフローチャートである。なお、本実施形態に係る電子体温計１００では、例えば、特開２００７−２４５３０号公報などに開示された予測式の体温測定方法を用いて体温測定を行うものとする。
【００６６】
ＯＮ／ＯＦＦスイッチ１０４が押下されると、電子体温計１００の電源がＯＮとなり、ステップＳ７０１に進む。
【００６７】
ステップＳ７０１では、電子体温計１００の初期化が行われ、温度計測部２２０による温度値の検出が開始される。例えば、０．５秒おきに温度計測部２２０を用いて温度値が検出される。
【００６８】
ステップＳ７０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングで実測値のデータ（時系列データ）として記憶を開始する。つまり、急激な温度上昇を検出することにより、被検体の所定の測定部位に電子体温計１００が装着されたとみなす。
【００６９】
ステップＳ７０３からステップＳ７０７までは、周知の予測式の体温測定方法を用いて体温を予測する処理であり、その詳細に関しては、例えば、特開２００７−２４５３０号公報などに記載されているため、ここでは簡潔に説明することとする。
【００７０】
ステップＳ７０３では、測定中に計測温度の低下が観測されたか否かを判断する。計測温度の低下が見られる場合は、ステップＳ７１２に進み、計測温度の低下が見られない場合にはステップＳ７０４に進む。
【００７１】
ステップＳ７１２では、計測されたデータの補正処理を行う。補正処理が正常に終了した場合にはステップＳ７０２に戻る。一方、補正処理が正常に終了しなかった場合には、ステップＳ７１３に進む。ステップＳ７１３では、体温測定が正常に終了しなかったとして、エラーを告げるブザー２６０が鳴動した後、体温測定処理を終了する。
【００７２】
一方、ステップＳ７０４では、ステップＳ７０２で記憶されたデータを用いて、前述した予測式の体温測定方法を用いて逐次予測値を導出（例えば、０．５秒間隔で導出）する。
【００７３】
ステップＳ７０５では、基準点（ｔ＝０）から所定時間（例えば１６秒）だけ経過した後、例えばステップＳ７０４で導出した複数の群に対応するそれぞれの予測値の変化に基づいて群分け判定を行う。
【００７４】
ステップＳ７０６では、ステップＳ７０５によって決定された群以外の演算を停止し、判定された群における予測演算を引き続き所定時間、導出する。
【００７５】
ステップＳ７０７では、基準点（ｔ＝０）から所定時間（例えば３０秒）だけ経過した時点で、ステップＳ７０６における処理の結果導出された一定区間（例えばｔ＝２５〜３０秒）における予測値があらかじめ設定された予測成立条件を満たすか否かをチェックする。具体的には、所定の範囲（例えば０．１度）に収まっているか否かをチェックする。
【００７６】
ステップＳ７０７において予測成立条件を満たしたと判定された場合には、ステップＳ７０８に進む。一方、予測成立条件を満たさないと判定された場合は、ステップＳ７１４に進む。
【００７７】
ステップＳ７１４では、例えばタイマーなどで計測開始から所定時間（例えば４５秒）が経過したか否かを監視し、経過した場合には、強制的に予測を成立させ、ステップＳ７０８に進む。つまり、その時点で導出されている予測値をそのまま最終予測値と見なす。
【００７８】
ステップＳ７０８では、体温測定が正常に終了したものとして予測成立を告げるブザー２６０が鳴動する。ステップＳ７０９では、導出された体温の予測値を測定結果として出力部２５０の表示部２５１に表示する。
【００７９】
ステップＳ７１０では、導出された体温の予測値を測定結果として、発光部２５２において可視化するための可視化処理を行う。なお、可視化処理の詳細は後述する。
【００８０】
ステップＳ７１１では、体温測定終了の指示を受け付けたか否かを判定する。体温測定終了の指示は、例えば、ＯＮ／ＯＦＦスイッチ１０４が押下されたか否かに基づいて判定してもよいし、ステップＳ７０９における表示から一定時間経過した場合に体温測定終了の指示があったものとみなすようにしてもよい。以上のステップを経て、体温測定処理を終了し、電源をＯＦＦにする。
【００８１】
８．可視化処理の流れ
次に、測定結果を発光部２５２において可視化するための表示制御部２４４における可視化処理の流れについて説明する。図８は、表示制御部２４４における可視化処理の流れを示すフローチャートである。
【００８２】
ステップＳ８０１では、可視化情報として測定結果を取得する。ステップＳ８０２では、電子体温計１００が横方向に往復で振られているか否かを判定する。ステップＳ８０２において、横方向に往復で振られていると判定された場合には、ステップＳ８０３に進む。
【００８３】
ステップＳ８０３では、信号処理部２３３より、後端側加速度センサ２３１に基づく出力である旨の情報を受信したか、先端側加速度センサ２３２に基づく出力である旨の情報を受信したかを判断する。後端側加速度センサ２３１に基づく出力である旨の情報を受信したと判断した場合には、ユーザが電子体温計１００の先端側を保持しながら横方向に振っていると判断し、電子体温計１００の後端側を発光ドットパターンに含まれる文字列の上方向、先端側を発光ドットパターンに含まれる文字列の下方向とすべきと判定する。
【００８４】
一方、先端側加速度センサ２３２に基づく出力である旨の情報を受信したと判断した場合には、ユーザが電子体温計１００の後端側を保持しながら横方向に振っていると判断し、電子体温計１００の先端側を発光ドットパターンに含まれる文字列の上方向、後端側を発光ドットパターンに含まれる文字列の下方向とすべきと判定する。
【００８５】
ステップＳ８０４では、信号処理部２３３からの信号（振れ方向の変更タイミングを示す信号）の出力間隔に基づいて、電子体温計１００の振れ時間Ｔを算出する。
【００８６】
ステップＳ８０５では、ステップＳ８０１にて取得した可視化情報（測定結果）及びステップＳ８０３における判定結果に基づいて、各発光素子２５２Ａにより可視化されるべき発光ドットパターンを生成する。
【００８７】
ステップＳ８０６では、ステップＳ８０４において算出された振れ時間Ｔと、ステップＳ８０５において生成された発光ドットパターンを表現するのに必要な発光素子のドット列数とに基づいて、１ドット列当たりの発光時間ｔを算出する。
【００８８】
ステップＳ８０７では、信号処理部２３３からの信号（振れ方向の変更タイミングを示す信号）の出力を受信したタイミングで、生成した発光ドットパターンと、算出した１ドット列当たりの発光時間ｔに基づいて、各発光素子の発光の制御を開始する。
【００８９】
ステップＳ８０８では、信号処理部２３３からの信号の出力が継続しているか否かを判定し、継続していると判定された場合には、ステップＳ８０３に戻る。一方、信号処理部２３３からの信号の出力がないと判定された場合には、可視化処理を終了する。
【００９０】
以上の説明から明らかなように、本実施形態に係る電子体温計１００では、配列された複数の発光素子を備える発光部と、電子体温計１００の振れを検出する後端側加速度センサ２３１及び先端側加速度センサ２３２と、発光部の発光を振れ方向の変更タイミングからの時間に基づいて制御する表示制御部２４４とを備える構成とした。
【００９１】
そして、電子体温計が横方向に往復で振られている際に、発光ドットパターンに含まれる文字列の上下を後端側加速度センサ２３１及び先端側加速度センサ２３２の出力に基づいて適切に判定したうえで各発光素子を発光させることで、ユーザがいずれの端部を保持していた場合であっても、被検体の体温に関する情報を、ユーザが空間上において適切に視認できるよう構成した。
【００９２】
この結果、電子体温計において、体温を測定する際の利便性を損なうことなく、ユーザにとってより見やすい表示を実現することが可能となった。
【００９３】
［第２の実施形態］
上記第１の実施形態では、ユーザが電子体温計１００の先端側を保持しながら振っているのか、後端側を保持しながら振っているのかを判断するために、電子体温計１００の先端側と後端側とに加速度センサを内蔵させ、両者の出力を比較する構成とした。しかしながら、本発明はこれに限られず、例えば、電子体温計１００の先端側と後端側とにユーザが触れたことによる静電容量の変化を検出する静電容量検出部を内蔵させ、両者の出力を比較することで、ユーザがいずれの端部を保持しているのかを判断する構成としてもよい。以下、本実施形態の詳細について説明する。なお、以下の説明は、上記第１の実施形態との相違点を中心に行うものとする。
【００９４】
１．電子体温計の外観構成
図９は、本発明の第２の実施形態に係る電子体温計９００の外観構成の一例を示す図である。
【００９５】
図９において、１０１〜１０４は上記第１の実施形態に係る電子体温計１００の１０１〜１０４と同じであるため、説明は省略する。９０７は、後端側静電容量検出部であり、ユーザが電子体温計１００の後端側を保持した場合に、これを検出する。９０８は、先端側静電容量検出部であり、ユーザが電子体温計１００の先端側を保持した場合に、これを検出する。
【００９６】
２．電子体温計のシステム構成
次に、電子体温計９００のシステム構成について図１０Ａを参照しながら説明する。図１０Ａは、本発明の第２の実施形態に係る電子体温計９００のシステム構成を示す図である。図１０Ａにおいて、電源部２１０、温度計測部２２０、演算制御部２４０、出力部２５０は、上記第１の実施形態に係る電子体温計１００の、電源部２１０、温度計測部２２０、演算制御部２４０、出力部２５０と同じであるため、ここでは説明を省略する。
【００９７】
振れ検出部２３０は、モーション・センサ１０３１と、信号処理部１０３２とを備える。モーション・センサ１０３１としては、例えば、傾斜センサや加速度センサ等が用いられるものとする。
【００９８】
信号処理部１０３２は、モーション・センサ１０３１が検出した電子体温計１００の横方向の振れを信号として受信する。そして、当該信号に基づいて、発光部２５２の発光開始／発光完了のタイミングや各発光素子２５２Ａの１ドット列当たりの発光時間を規定するための信号（振れ方向の変更タイミングを示す信号）を算出し、表示制御部２４４に出力する。
【００９９】
保持位置検出部１０４０は、ユーザが電子体温計１００の後端側を保持しているのか先端側を保持しているのかを検出し、表示制御部２４４に検出結果を出力する。具体的には、後端側静電容量検出部１０４１（図９の９０７に対応する）と先端側静電容量検出部１０４２（図９の９０８に対応する）とを備え、それぞれの検出部における検出結果を表示制御部２４４に出力する。
【０１００】
３．信号処理部における信号処理
次に、信号処理部１０３２における信号処理の内容について図１０Ｂを用いて説明する。図１０Ｂは、信号処理部１０３２における信号処理の内容を説明するための図である。図１０Ｂの（Ａ−１）は、モーション・センサ１０３１が傾斜センサであった場合に、ユーザによって電子体温計１００が往復で振られた際のモーション・センサ１０３１の出力を示した図である。また、図１０Ｂの（Ａ−２）は、モーション・センサ１０３１が加速度センサであった場合に、ユーザによって電子体温計１００が往復で振られた際のモーション・センサ１０３１の出力を示した図である。
【０１０１】
信号処理部１０３２は、左振れしていた電子体温計９００の振れ方向が右振れに変更されたタイミング（振れ方向の変更タイミング）を示す信号を表示制御部２４４に出力するように構成されるものとする。
【０１０２】
一方、傾斜センサは、左振れしていた電子体温計９００の振れ方向が、右振れに変更された場合に、これを検出し、ＯＮ信号として出力するよう構成されている（図１４Ｂの（Ａ−１）参照）。
【０１０３】
このため、モーション・センサ１０３１が傾斜センサであった場合、信号処理部２３２では、傾斜センサより出力されたＯＮ信号を検出し、これを振れ方向の変更タイミングを示す信号として表示制御部２４４に出力する（図１０Ｂの（Ｂ）参照）。
【０１０４】
一方、モーション・センサ１０３１が加速度センサであった場合には、図１０Ｂの（Ａ−２）に示すように、電子体温計９００の往復の振れに応じて、正弦波状の信号が出力される。このため、信号処理部１０３２では、まず、加速度センサより出力された信号を微分処理し、微分処理の結果がゼロになるタイミング（つまり、加速度センサより出力された信号の傾きがゼロになるタイミング）を検出する。
【０１０５】
ここで、加速度センサより出力された信号の傾きがゼロになるタイミングとしては、左振れしていた電子体温計９００の振れ方向が、右振れに変更されたタイミングと、右振れしていた電子体温計９００の振れ方向が、左振れに変更されたタイミングの、２種類がある。
【０１０６】
このため、信号処理部１０３２では、左振れしていた電子体温計９００の振れ方向が、右振れに変更されたタイミングのみを抽出して、振れ方向の変更タイミングを示す信号として表示制御部２４４に出力する（図１０Ｂの（Ｂ）参照）。
【０１０７】
４．可視化処理の流れ
次に、測定結果を発光部２５２において可視化するための表示制御部２４４における可視化処理の流れについて説明する。図１１は、表示制御部２４４における可視化処理の流れを示すフローチャートである。図１１において、ステップＳ８０１、Ｓ８０２及びステップＳ８０４〜ステップＳ８０８の各処理工程は、上記第１の実施形態において、図８を用いて説明した各処理工程と同じであるため、ここでは説明を省略する。
【０１０８】
ステップＳ１１０３では、ステップＳ８０２において電子体温計９００が横方向に往復で振られていると判定された時点で、保持位置検出部１０４０から出力された検出結果を判定する。
【０１０９】
判定の結果、後端側静電容量検出部１０４１からの出力がＯＮであると判定された場合には、ユーザが電子体温計９００の後端側を保持しながら横方向に振っていると判断し、電子体温計９００の先端側を発光ドットパターンに含まれる文字列の上方向、後端側を発光ドットパターンに含まれる文字列の下方向とすべきと判定する。
【０１１０】
一方、先端側静電容量検出部１０４２からの出力がＯＮであると判定された場合には、ユーザが電子体温計９００の先端側を保持しながら横方向に振っていると判断し、電子体温計９００の後端側を発光ドットパーンに含まれる文字列の上方向、先端側を発光ドットパターンに含まれる文字列の下方向とすべきと判定する。
【０１１１】
以上の説明から明らかなように、本実施形態に係る電子体温計９００では、配列された複数の発光素子を備える発光部２５２と、電子体温計１００の振れを検出するモーション・センサ１０３１と、電子体温計９００の後端側に配置された後端側静電容量検出部１０４１と、先端側に配置された先端側静電容量検出部１０４２と、発光部の発光を制御する表示制御部２４４とを備える構成とした。
【０１１２】
そして、電子体温計が横方向に往復で振られている際に、発光ドットパターンに含まれる文字列の上下を後端側静電容量検出部１０４１及び先端側静電容量検出部１０４２の出力に基づいて適切に判定したうえで各発光素子を発光させることで、ユーザがいずれの端部を保持していた場合であっても、被検体の体温に関する情報を、ユーザが空間上において適切に視認できるよう構成した。
【０１１３】
この結果、電子体温計において、体温を測定する際の利便性を損なうことなく、ユーザにとってより見やすい表示を実現することが可能となった。
【０１１４】
［第３の実施形態］
上記第１の実施形態では、先端側と後端側に配された加速度センサの出力に基づいて、ユーザが、電子体温計の先端側を保持しながら横方向に振っているのか、後端側を保持しながら横方向に振っているのかを判断する構成とした。そして、当該判断結果に基づいて、発光ドットパターンに含まれる文字列の上下方向を切り替える構成とした。
【０１１５】
しかしながら、本発明はこれに限定されず、電子体温計の上下方向（重力が働く方向を下方向とし、その反対方向を上方向とした場合の上下方向）を判定し、当該判定結果に基づいて、発光ドットパターンに含まれる文字列の上下方向を切り替えるように構成してもよい。
【０１１６】
具体的には、横方向の加速度に加え、縦方向の加速度も検知可能な加速度センサを配し、当該加速度センサの出力に基づいて、電子体温計の上下方向を判定し、当該判定された電子体温計の上下方向と一致するように、発光ドットパターンに含まれる文字列の上下方向を切り替えるよう構成してもよい。以下、本実施形態の詳細について説明する。なお、以下の説明は、上記第１の実施形態との相違点を中心に行うものとする。
【０１１７】
１．電子体温計の外観構成
本実施形態に係る電子体温計の外観構成は、上記第１の実施形態において図１を用いて説明した電子体温計の外観構成と概ね同じである。ただし、本実施形態に係る電子体温計の場合、先端側加速度センサ１０６はなく、また、後端側加速度センサ１０５に対応する位置に配された加速度センサは、横方向のみならず、縦方向（電子体温計の長手方向）の加速度も検出可能となっている。なお、以下では、電子体温計の先端側が下方向を向いている場合を下向きと称し、電子体温計の先端側が上方向を向いている場合を上向きと称することとする）。
【０１１８】
２．電子体温計のシステム構成
次に、本実施形態に係る電子体温計のシステム構成について図１２を参照しながら説明する。図１２において、電源部２１０、温度計測部２２０、演算制御部２４０、出力部２５０は、上記第１の実施形態に係る電子体温計１００の、電源部２１０、温度計測部２２０、演算制御部２４０、出力部２５０と同じであるため、ここでは説明を省略する。
【０１１９】
振れ検出部１２３０は、加速度センサ１２３１と、信号処理部１２３２とを備える。加速度センサ１２３１は、電子体温計の横方向の加速度と縦方向の加速度とを検出する。
【０１２０】
信号処理部１２３２は、加速度センサ１２３１が検出した電子体温計１００の横方向及び縦方向の振れにおける加速度の信号を受信する。このうち、横方向の振れにおける加速度の信号に基づいて、発光部２５２の発光開始／発光完了のタイミングや各発光素子２５２Ａの１ドット列当たりの発光時間を規定するための信号（振れ方向の変更タイミングを示す信号）を算出し、表示制御部２４４に出力する。また、縦方向の加速度信号に基づいて、電子体温計が下向きであるのか上向きであるのかを示す情報を表示制御部２４４に出力する。
【０１２１】
３．可視化処理の流れ
次に、測定結果を発光部２５２において可視化するための表示制御部２４４における可視化処理の流れについて説明する。図１３は、表示制御部２４４における可視化処理の流れを示すフローチャートである。図１３において、ステップＳ８０１、Ｓ８０２及びステップＳ８０４〜ステップＳ８０８の各処理工程は、上記第１の実施形態において、図８を用いて説明した各処理工程と同じであるため、ここでは説明を省略する。
【０１２２】
ステップＳ１３０３では、信号処理部１２３２から電子体温計が下向きである旨の情報を受信した場合には、電子体温計の後端側を発光ドットパターンに含まれる文字列の上方向、先端側を発光ドットパターンに含まれる文字列の下方向とすべきと判定する。一方、信号処理部２３３から電子体温計が上向きである旨の情報を受信した場合には、電子体温計の先端側を発光ドットパターンに含まれる文字列の上方向、後端側を発光ドットパターンに含まれる文字列の下方向とすべきと判定する。
【０１２３】
以上の説明から明らかなように、本実施形態に係る電子体温計では、配列された複数の発光素子を備える発光部２５２と、電子体温計の横方向及び縦方向の加速度を検出する加速度センサ１２３１と、発光部の発光を制御する表示制御部２４４とを備える構成とした。
【０１２４】
そして、電子体温計が横方向に往復で振られている際に、発光ドットパターンに含まれる文字列に含まれる文字列の上下を電子体温計の上下方向に基づいて適切に判定したうえで各発光素子を発光させることで、電子体温計の上下方向が反転した場合であっても、被検体の体温に関する情報を、ユーザが空間上において適切に視認できるよう構成した。
【０１２５】
この結果、電子体温計において、体温を測定する際の利便性を損なうことなく、ユーザにとってより見やすい表示を実現することが可能となった。
【０１２６】
［第４の実施形態］
上記第３の実施形態では、電子体温計の上下方向を判定するにあたり、横方向の加速度に加え、縦方向の加速度も検知可能な加速度センサを配し、当該加速度センサの出力に基づいて判定する構成とした。しかしながら、本発明はこれに限定されず、横方向の振れを検出するモーション・センサ（例えば、傾斜センサ、加速度センサなど）及び電子体温計の上下方向の判定に用いられる信号を出力するモーション・センサ（例えば、傾斜センサ、加速度センサなど）をそれぞれ配する構成としてもよい。以下、本実施形態の詳細について説明する。なお、以下の説明は、上記第１乃至第３の実施形態との相違点を中心に行うものとする。
【０１２７】
１．電子体温計の外観構成
本実施形態に係る電子体温計の外観構成は、上記第１の実施形態において図１を用いて説明した電子体温計の外観構成と概ね同じである。ただし、本実施形態に係る電子体温計の場合、先端側加速度センサ１０６の代わりに、電子体温計の上下方向を検知するモーション・センサが内蔵される。また、後端側加速度センサ１０５の代わりに電子体温計の横方向の振れを検出するモーション・センサが内蔵される。
【０１２８】
２．電子体温計のシステム構成
次に、本実施形態に係る電子体温計のシステム構成について図１４を参照しながら説明する。図１４において、電源部２１０、温度計測部２２０、演算制御部２４０、出力部２５０は、上記第１の実施形態に係る電子体温計１００の、電源部２１０、温度計測部２２０、演算制御部２４０、出力部２５０と同じであるため、ここでは説明を省略する。
【０１２９】
振れ検出部１０３０は、モーション・センサ１０３１と、信号処理部１０３２とを備える。モーション・センサ１０３１としては、例えば、傾斜センサや加速度センサ等が用いられるものとする。
【０１３０】
信号処理部１０３２は、モーション・センサ１０３１が検出した電子体温計の横方向の振れにおける振れ信号を受信する。そして、当該信号に基づいて、発光部２５２の発光開始／発光完了のタイミングや各発光素子２５２Ａの１ドット列当たりの発光時間を規定するための信号（振れ方向の変更タイミングを示す信号）を算出し、表示制御部２４４に出力する。
【０１３１】
上下検出部１４６０は、モーション・センサ１４６１と、信号処理部１４６２とを備える。モーション・センサ１４６１としては、例えば、傾斜センサや加速度センサ等が用いられるものとする。
【０１３２】
信号処理部１４６２は、モーション・センサ１４６１が検出した電子体温計の上下方向を示す信号を受信する。そして、当該信号に基づいて、電子体温計が下向きであるのか上向きであるのかを示す情報を表示制御部２４４に出力する。
【０１３３】
３．可視化処理の流れ
次に、測定結果を発光部２５２において可視化するための表示制御部２４４における可視化処理の流れについて説明する。図１５は、表示制御部２４４における可視化処理の流れを示すフローチャートである。図１５において、ステップＳ８０１、Ｓ８０２及びステップＳ８０４〜ステップＳ８０８の各処理工程は、上記第１の実施形態において、図８を用いて説明した各処理工程と同じであるため、ここでは説明を省略する。
【０１３４】
ステップＳ１５０３では、信号処理部１４６２から電子体温計が下向きである旨の情報を受信した場合には、電子体温計の後端側を発光ドットパターンに含まれる文字列の上方向、先端側を発光ドットパターンに含まれる文字列の下方向とすべきと判定する。一方、信号処理部１４６２から電子体温計が上向きである旨の情報を受信した場合には、電子体温計の先端側を発光ドットパターンに含まれる文字列の上方向、後端側を発光ドットパターンに含まれる文字列の下方向とすべきと判定する。
【０１３５】
以上の説明から明らかなように、本実施形態に係る電子体温計では、配列された複数の発光素子を備える発光部２５２と、電子体温計の横方向の振れを検出するモーション・センサ１０３１と、電子体温計の上下方向を検出するモーション・センサ１４６１と、発光部の発光を制御する表示制御部２４４とを備える構成とした。
【０１３６】
そして、電子体温計が横方向に往復で振られている際に、発光ドットパターンに含まれる文字列の上下を電子体温計の上下方向に基づいて適切に判定したうえで各発光素子を発光させることで、被検体の体温に関する情報を、ユーザが空間上において適切に視認できるよう構成した。
【０１３７】
この結果、電子体温計において、体温を測定する際の利便性を損なうことなく、ユーザにとってより見やすい表示を実現することが可能となった。
【０１３８】
［第５の実施形態］
上記第１の実施形態では、後端側加速度センサ２３１または先端側加速度センサ２３２の出力に基づいて、信号処理部２３３が振れ方向の変更タイミングを示す信号を出力する構成について説明したが、本発明はこれに限定されない。
【０１３９】
例えば、信号処理部２３３が、後端側加速度センサ２３１または先端側加速度センサ２３２の出力に基づいて、電子体温計の振れ方向の変更位置ならびに振れ方向の変更位置からの距離を示す信号を出力するように構成してもよい。
【０１４０】
そして、当該信号処理部２３３からの、電子体温計の振れ方向の変更位置ならびに該振れ方向の変更位置からの距離を示す信号の出力に伴って、表示制御部２４４が、該振れ方向の変更位置からの距離に応じて各発光素子の発光を行う構成としてもよい。以下、本実施形態の詳細について説明する。なお、以下の説明は、上記第１の実施形態との相違点を中心に行うものとする。
【０１４１】
１．信号処理部における信号処理
はじめに、発光部２５２の発光開始／発光完了位置（振れ方向の変更位置）及び該振れ方向の変更位置からの距離を示す信号を出力する信号処理部２３３における信号処理の内容について説明する。
【０１４２】
図１６は、信号処理部２３３における信号処理の内容を説明するための図である。図１６の（Ａ−１）、（Ａ−２）は、ユーザによって電子体温計１００が往復で振られた際の後端側加速度センサ２３１及び先端側加速度センサ２３２の出力を示した図である。
【０１４３】
本実施形態に係る電子体温計１００では、振れ方向の変更位置を基準として、該変更位置からの距離に応じて各発光素子２５２Ａの発光を制御する。このため、信号処理部２３３では、後端側加速度センサ２３１または先端側加速度センサ２３２のいずれかの出力に基づいて振れ方向の変更位置ならびに該振れ方向の変更位置からの距離を示す信号を算出する。
【０１４４】
ここで、図１６の（Ａ−１）及び（Ａ−２）に示すように、電子体温計１００の往復の振れに応じて、後端側加速度センサ２３１及び先端側加速度センサ２３２ではそれぞれ正弦波状の信号を出力する。
【０１４５】
そこで、信号処理部２３３では、まず、後端側加速度センサ２３１から出力される正弦波状の信号の振幅と先端側加速度センサ２３２から出力される正弦波状の信号の振幅とを比較する。図１６の例では、後端側加速度センサ２３１から出力される正弦波状の信号の振幅の方が大きい。この場合、ユーザは、電子体温計１００の先端側を保持しながら、横方向に振っていると判断することができる。
【０１４６】
そこで、信号処理部２３３では、後端側加速度センサ２３１より出力された信号の傾きがゼロになるタイミング（つまり、振れ速度がゼロになるタイミング）を検出する。
【０１４７】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。このうち、信号処理部２３３では、左振れしていた電子体温計１００の振れ方向が右振れに変更されたタイミングを抽出し、そのときの電子体温計１００の位置を示す信号（振れ方向の変更位置を示す信号）を表示制御部２４４に出力する（図１６において不図示。図４の（Ｂ）参照）。
【０１４８】
なお、先端側加速度センサ２３２から出力される正弦波状の信号の振幅の方が、後端側加速度センサ２３１から出力される正弦波状の信号の振幅よりも大きく、ユーザが、電子体温計１００の後端側を保持しながら、横方向に振っていると判断される場合には、電子体温計１００における右振れの定義が逆になる。
【０１４９】
このため、先端側加速度センサ２３２より出力された信号に基づいて抽出された、右振れに変更されたタイミングは、後端側加速度センサ２３１より出力された信号に基づいて抽出された、右振れに変更されたタイミングと、位相が１８０°ずれることとなる。
【０１５０】
また、信号処理部２３３では、左振れしていた電子体温計１００の振れ方向が、右振れに変更されたタイミングにおける電子体温計１００の位置（振れ方向の変更位置１６０１）を基準位置として、後端側加速度センサ２３１（または先端側加速度センサ２３２）より出力された信号を２回積分することにより、もう一方の振れ方向の変更位置１６０２（右振れしていた電子体温計１００の振れ方向が、左振れに変更されたタイミングにおける電子体温計１００の位置）までの、該基準位置からの距離を算出する（図１６の（Ｂ）参照）。更に、右振れしていた電子体温計１００の振れ方向が、左振れに変更されたタイミングにおける電子体温計１００の位置（振れ方向の変更位置１６０２）を基準位置として、後端側加速度センサ２３１（先端側加速度センサ２３２）より出力された信号を２回積分することにより、他方の振れ方向の変更位置１６０１までの、該基準位置からの距離を算出する（図１６の（Ｂ）参照）。算出された基準位置からの距離を示す信号（図１６の（Ｂ））は、表示制御部２４４に出力される。
【０１５１】
また、図１６においては不図示であるが、信号処理部２３３では、上述の比較結果として、算出された基準位置からの距離を示す信号が、後端側加速度センサ２３１に基づく出力である旨の情報（あるいは先端側加速度センサ２３２に基づく出力である旨の情報）を、あわせて表示制御部２４４に出力する。
【０１５２】
２．表示制御部において生成される発光ドットパターン
次に、表示制御部２４４において生成される発光ドットパターンについて説明する。図１７は、表示制御部２４４において生成される発光ドットパターンの一例を示す図である。
【０１５３】
図１７に示すように、発光ドットパターンは、発光部２５２の各発光素子２５２Ａにより可視化される仮想的な表示領域における表示であり、縦に配列された発光素子２５２Ａの数と、所定方向に振られている間（本実施形態では右振れの間）の発光素子の発光回数であるドット列数と、各ドット列の振れ方向の変更位置１６０１からの距離とにより規定される。
【０１５４】
また、発光ドットパターンに含まれる文字列の上下方向の向きは、信号処理部２３３より出力された情報（後端側加速度センサ２３１に基づく出力である旨の情報または先端側加速度センサ２３２に基づく出力である旨の情報）に基づいて規定される。具体的には、後端側加速度センサ２３１に基づく出力である旨の情報を受信した場合には、ユーザが、電子体温計１００の先端側を保持しながら、横方向に振っていると判断できるため、電子体温計１００の先端側を下として、文字列の上下方向を規定する。反対に、先端側加速度センサ２３２に基づく出力である旨の情報を受信した場合には、ユーザが、電子体温計１００の後端側を保持しながら、横方向に振っていると判断できるため、電子体温計１００の後端側を下として、文字列の上下方向を規定する。
【０１５５】
図１７において、黒い丸及び白い丸は、電子体温計１００が横方向の振れに伴って移動した場合の、各発光タイミングにおける発光素子のＯＦＦ／ＯＮを示している。本実施形態では、１文字（ただし、「小数点」は除く）を表現するのに、横方向５ドットと縦方向７ドット（７つの発光素子）とを用いるものとする。また、横方向の文字と文字の間には、２ドット列数分の発光素子の空白が設けられるものとする。
【０１５６】
このため、図１７に示すように、被検体の体温に関する情報として、例えば“３８．５℃”の５文字（“３”、“８”、“．”、“５”及び“℃”）を可視化するためには、
（１文字あたりの横方向ドット列数（＝５ドット））×４文字
＋（「小数点」の横方向ドット列数（＝１ドット））×１文字
＋（空白列のドット列数（＝２ドット））×（５文字＋１）
＝３３ドット列数が必要となる。
【０１５７】
つまり、電子体温計１００の右振れが開始されてから完了するまでの間に、発光素子は、３３ドット列数からなる発光ドットパターンを出力することとなる。このとき各ドット列の発光位置は、各ドット列の振れ方向の変更位置からの距離により規定される。
【０１５８】
具体的には、可視化情報が、“３８．５℃”の場合、振れ幅（振れ方向の変更位置１６０１と１６０２との間の距離）をＬとすると、
ｘ１＝（Ｌ／３３）×０
ｘ２＝（Ｌ／３３）×１
ｘ３＝（Ｌ／３３）×２
・・・
ｘ３３＝（Ｌ／３３）×３２
となる。
【０１５９】
このように、振れ幅Ｌに応じて、発光ドットパターンを規定することにより、振れ幅Ｌに応じた大きさの文字を振れ幅全体にわたって可視化させることが可能となる。
【０１６０】
具体的には、表示制御部２４４では、被検体の体温に関する情報を可視化するために以下のように動作する。
・発光部２５２において可視化すべき可視化情報（被検体の体温に関する情報）を受信し、これを表現するための発光ドットパターンを生成する。このとき、発光ドットパターンに含まれる文字列の上下方向は、信号処理部２３３より出力された情報（後端側加速度センサ２３１に基づく出力である旨の情報または先端側加速度センサ２３２に基づく出力である旨の情報）に基づいて規定する。
・発光ドットパターンにおいて各ドット列の振れ方向の変更位置からの距離を規定する。
・信号処理部２３３から出力された振れ方向の変更位置を示す信号の出力を発光開始位置として制御を開始し、信号処理部２３３から出力された振れ方向の変更位置からの距離を示す信号が、規定された各ドット列の振れ方向の変更位置からの距離と一致した場合に、各発光素子を、対応するドット列に従って発光させる。
【０１６１】
なお、所定のドット列に基づく発光は、電子体温計１００が次のドット列に基づく発光が行われる位置に到達するまでの間、継続される。
【０１６２】
３．可視化処理の流れ
次に、測定結果を発光部２５２において可視化するための表示制御部２４４における可視化処理の流れについて説明する。図１８は、表示制御部２４４における可視化処理の流れを示すフローチャートである。
【０１６３】
ステップＳ１８０１では、可視化情報として測定結果を取得する。ステップＳ１８０２では、電子体温計１００が横方向に往復で振られているか否かを判定する。ステップＳ１８０２において、横方向に往復で振られていると判定された場合には、ステップＳ１８０３に進む。
【０１６４】
ステップＳ１８０３では、信号処理部２３３より、後端側加速度センサ２３１に基づく出力である旨の情報を受信したか、先端側加速度センサ２３２に基づく出力である旨の情報を受信したかを判断する。後端側加速度センサ２３１に基づく出力である旨の情報を受信したと判断した場合には、ユーザが電子体温計１００の先端側を保持しながら横方向に振っていると判断し、電子体温計１００の後端側を発光ドットパターンに含まれる文字列の上方向、先端側を発光ドットパターンに含まれる文字列の下方向とすべきと判定する。
【０１６５】
一方、先端側加速度センサ２３２に基づく出力である旨の情報を受信したと判断した場合には、ユーザが電子体温計１００の後端側を保持しながら横方向に振っていると判断し、電子体温計１００の先端側を発光ドットパターンに含まれる文字列の上方向、後端側を発光ドットパターンに含まれる文字列の下方向とすべきと判定する。
【０１６６】
ステップＳ１８０４では、信号処理部２３３からの信号（振れ方向の変更位置を示す信号）の出力に基づいて、電子体温計１００の振れ幅Ｌを算出する。
【０１６７】
ステップＳ１８０５では、ステップＳ１８０１にて取得した可視化情報（測定結果）及びステップＳ１８０３における判定結果に基づいて、発光部２５２Ａにおいて可視化すべき発光ドットパターンを生成する。
【０１６８】
ステップＳ１８０６では、ステップＳ１８０４において算出された振れ幅Ｌと、ステップＳ１８０５において生成された発光ドットパターンを表現するのに必要な発光素子のドット列数とに基づいて、各ドット列の発光位置ｘを算出する。
【０１６９】
ステップＳ１８０７では、信号処理部２３３からの信号（振れ方向の変更位置を示す信号）を受信した位置を基準位置として、信号処理部２３３からの信号（振れ方向の変更位置からの距離を示す信号）と、生成した発光ドットパターンと、算出した各ドット列の発光位置ｘとに基づいて、各発光素子の発光の制御を開始する。
【０１７０】
ステップＳ１８０８では、信号処理部２３３からの信号の出力が継続しているか否かを判定し、継続していると判定された場合には、ステップＳ１８０３に戻る。一方、信号処理部２３３からの信号の出力がないと判定された場合には、可視化処理を終了する。
【０１７１】
以上の説明から明らかなように、本実施形態に係る電子体温計では、配列された複数の発光素子を備える発光部２５２と、電子体温計１００の振れを検出する後端側加速度センサ２３１及び先端側加速度センサ２３２と、発光部の発光を振れ方向の変更位置からの距離に応じて制御する表示制御部２４４とを備える構成とした。
【０１７２】
そして、電子体温計が横方向に往復で振られている際に、発光ドットパターンに含まれる文字列の上下を後端側加速度センサ２３１及び先端側加速度センサ２３２の出力に基づいて適切に判定したうえで各発光素子を発光させることで、ユーザがいずれの端部を保持していた場合であっても、被検体の体温に関する情報を、ユーザが空間上で適切に視認できるように構成した。
【０１７３】
この結果、電子体温計において、体温を測定する際の利便性を損なうことなく、ユーザにとってより見やすい表示を実現することが可能となった。
【０１７４】
［第６の実施形態］
上記第１乃至第５の実施形態では、発光素子としてＬＥＤを用いる場合について説明したが、本発明はこれに限定されず、例えば、有機ＥＬ等、他の発光素子を用いるようにしてもよい。
【０１７５】
また、上記第１乃至第５の実施形態では、発光部により可視化された被検体の体温に関する情報として、予測された体温を用いる場合について説明したが、本発明はこれに限定されず、実測された体温を用いるようにしてもよい。
【０１７６】
また、上記第１乃至第５の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【０１７７】
更に、上記第１乃至第５の実施形態では、体温測定処理において測定結果が算出された場合に、常に、可視化処理を実行する構成としたが、本発明はこれに限定されず、例えば、所定のスイッチを配し、ユーザの指示に基づいて、可視化処理を実行する場合と実行しない場合とで切り替えられるように構成してもよい。
【符号の説明】
【０１７８】
１００・・・電子体温計、１０１・・・表示部、１０２・・・発光部、１０３・・・エンドキャップ、１０４・・・ＯＮ／ＯＦＦスイッチ、２５２Ａ・・・発光素子
【図１】
0005399947.tif 000002
【図２】
0005399947.tif 000003
【図４】
0005399947.tif 000004
【図５】
0005399947.tif 000005
【図６Ａ】
0005399947.tif 000006
【図６Ｂ】
0005399947.tif 000007
【図７】
0005399947.tif 000008
【図８】
0005399947.tif 000009
【図９】
0005399947.tif 000010
【図１０Ａ】
0005399947.tif 000011
【図１０Ｂ】
0005399947.tif 000012
【図１１】
0005399947.tif 000013
【図１２】
0005399947.tif 000014
【図１３】
0005399947.tif 000015
【図１４】
0005399947.tif 000016
【図１５】
0005399947.tif 000017
【図１６】
0005399947.tif 000018
【図１７】
0005399947.tif 000019
【図１８】
0005399947.tif 000020
【図３】
0005399947.tif 000021